(57)【要約】【課題】  土砂等の袋詰め作業を効率的かつ省力的に行うことができ、しかも、作業者も手違いを起こすことなくサンドバッグに定量ずつ連続的に詰め込んでゆくことができる能率的な土砂等袋詰め装置を提供すること。【解決手段】  ホッパー１の底部に複数の土砂投入口１１ａを開設したデッキ１１を敷設し、かつ、前記土砂投入口１１ａの各々には土砂Ｓの落下方向を規制するガイド筒２を垂設する一方、これらガイド筒２には、当該ガイド筒内の容積が所定量をなす位置に横断方向へ進退動作自在なシャッタープレート３を各々配設して、コネクティング・バー４を介して流体圧シリンダー５の進退縮運動に応じて各ガイド筒２を開閉させ、ガイド筒２が開放したとき当該各筒内に詰まった土砂Ｓを各ガイド筒２の放出口２１に対設したサンドバッグＢに定量ずつ充填可能にするという技術的手段を採用した。【選択図】  図2
2006248536.tif 000002
【特許請求の範囲】
【請求項１】
ホッパー１の底部に複数の土砂投入口１１ａを開設したデッキ１１が敷設され、かつ、前記土砂投入口１１ａの各々には土砂Ｓの落下方向を規制するガイド筒２が垂設されている一方、これらガイド筒２には、当該ガイド筒内の容積が所定量をなす位置に横断方向へ進退動作自在なシャッタープレート３が各々配設されており、コネクティングバー４を介して流体圧シリンダー５の進退縮運動に応じて各ガイド筒２を開閉させ、ガイド筒２が開放したとき当該各筒内に詰まった土砂Ｓを各ガイド筒２の放出口２１に対設したサンドバッグＢに定量ずつ充填可能であることを特徴とする土砂等袋詰め装置。
【請求項２】
流体圧シリンダー５のデッキ１１の下面に、ピストンロッド５１がコネクティングバー４に直交状態に連結されていることを特徴とする請求項１記載の土砂等袋詰め装置。
【請求項３】
ホッパー１のデッキ下面に、コネクティングバー４を滑動可能に支持するスライド支持部材４１が懸装されていることを特徴とする請求項１または２記載土砂等袋詰め装置。
【請求項４】
ホッパー１の周壁１２が外向きに傾斜して立設されて、斜面部１２ａを形成していることを特徴とする請求項１〜３の何れか一つに記載の土砂等袋詰め装置。
【請求項５】
ホッパー１の周壁１２の少なくとも一部に、開口部１２ｂが形成されていることを特徴とする請求項１〜４の何れか一つに記載の土砂等袋詰め装置。
【請求項６】
サンドバッグＢの口端を掛止して吊支可能な引掛部２２を設けたことを特徴とする請求項１〜５の何れか一つに記載の土砂等袋詰め装置。
【発明の詳細な説明】
【技術分野】
【０００１】
本発明は、土砂等の袋詰め装置の改良、更に詳しくは、土砂等の袋詰め作業を効率的かつ省力的に遂行することができ、しかも、作業者も手違いなく、サンドバッグＢに土砂を連続的に詰め込んでゆくことができる土砂等袋詰め装置に関するものである。
【背景技術】
【０００２】
周知のとおり、洪水等の水害時には家への浸水や堤防の決壊を防ぐために土嚢が活用される。この土嚢は一般的に土砂をスコップで掬い上げその土砂をサンドバッグに詰めて作るが、スコップを使ってサンドバッグに詰めていたのでは時間と労力が多大にかかるだけでなく、土砂を定量ずつ均一にサンドバッグに入れていくことが困難だったため、本発明者は、嘗て土砂を袋詰めする装置を提案した（特許文献１参照）。
【０００３】
この従来の土砂袋詰め装置は、図８（ａ）〜（ｄ）に示すように、ホッパーに接続されているガイド筒の内空部に仕切り板Ｐを差し入れることにより、この仕切り板Ｐを底とする空間をつくり（ａ）、その空間に土砂を充填して（ｂ）、土砂投入口上部にはみ出た土砂を掻き均して取り除いた後（ｃ）、前記仕切り板Ｐを抜いてガイド筒下方に設置したサンドバッグに適量分の土砂を落下させることによって（ｄ）、土嚢袋を作製できるように構成されていた。
【０００４】
しかしながら、かかる従来の装置においては、幾つもの仕切り板Ｐを各ガイド筒に配設して、これらのガイド筒の仕切り板Ｐを一つ一つ抜き差して、袋詰めの済んだ土嚢を、いちいち移動しなければならなかったため非常な時間と労力が必要であった。
【０００５】
更に、このような構造では、作業者が仕切り板Ｐの抜き忘れに気付かずに次のガイド筒に移動してしまうおそれがあり、作業を完了したかと思って次の土砂をホッパーに投入してしまうこともあり、能率がよくなかった。
【特許文献１】特開２００４−１００３６１号公報  （第２−６頁、図１〜６）
【発明の開示】
【発明が解決しようとする課題】
【０００６】
本発明は、上記課題に鑑みて為されたものであり、その目的とするところは、土砂等の袋詰め作業を効率的かつ省力的に行うことができ、しかも、作業者も手違いを起こすことなくサンドバッグに定量ずつ連続的に詰め込んでゆくことができる能率的な土砂等袋詰め装置を提供することにある。
【課題を解決するための手段】
【０００７】
本発明者が上記課題を解決するために採用した手段を添付図面を参照して説明すれば次のとおりである。
【０００８】
即ち、本発明は、ホッパー１の底部に複数の土砂投入口１１ａを開設したデッキ１１を敷設し、かつ、前記土砂投入口１１ａの各々には土砂Ｓの落下方向を規制するガイド筒２を垂設する一方、これらガイド筒２には、当該ガイド筒内の容積が所定量をなす位置に横断方向へ進退動作自在なシャッタープレート３を各々配設して、コネクティング・バー４を介して流体圧シリンダー５の進退縮運動に応じて各ガイド筒２を開閉させ、ガイド筒２が開放したとき当該各筒内に詰まった土砂Ｓを各ガイド筒２の放出口２１に対設したサンドバッグＢに定量ずつ充填可能にするという技術的手段を採用した。
【０００９】
また、本発明は、上記課題を解決するために、必要に応じて上記手段に加え、流体圧シリンダー５のピストンロッド５１をコネクティングバー４に該バーの長手方向と直交状態に連結すると共に、シリンダチューブ５２をホッパー１に懸装するという技術的手段を採用することができる。
【００１０】
更にまた、本発明は、上記課題を解決するために、必要に応じて上記手段に加え、ホッパー１のデッキ１１の下面に、コネクティングバー４を滑動可能に支持するスライド支持部材４１を懸装するという技術的手段を採用することができる。
【００１１】
更にまた、本発明は、上記課題を解決するために、必要に応じて上記手段に加え、デッキ１１を外向きに傾斜して立設して、斜面部１２ａを形成するという技術的手段を採用することができる。
【００１２】
更にまた、本発明は、上記課題を解決するために、必要に応じて上記手段に加え、ホッパー１の周壁１２の少なくとも一部に、開口部１２ｂを形成するという技術的手段を採用した。
【００１３】
更にまた、本発明は、上記課題を解決するために、必要に応じて上記手段に加え、サンドバッグＢの口端を掛止して吊支可能な引掛部２２を設けるという技術的手段も採用することができる。
【発明の効果】
【００１４】
本発明においては、複数のガイド筒に配設されている仕切り板を一斉に抜き差しできるように構成したことによって、従来では不可避であった個別に設けられた仕切り板を一つ一つ抜き差しする手間を省くことができ、土砂の袋入れをより速く、少ない労力で行うことができるようになる。
【００１５】
また、全ての仕切り板が一連に連結されているため、作業者の錯誤による仕切り板の抜き忘れにより充填した土砂を無駄にしてしまうようなことはなくなる。
【００１６】
更に、袋詰めの済んだ土嚢をガイド筒下方から他の場所に移送する移送コンベアを設置すれば、いちいち土砂を充填したサンドバッグを持ち上げて移動する手間をなくすことができる。
【００１７】
したがって、本発明を使用すれば、効率的に、かつ土砂量の一定な土嚢を連続的かつ省力的に量産できるようになるため、本発明の実用的利用価値は頗る高いと云える。
【発明を実施するための最良の形態】
【００１８】
本発明の実施形態を具体的に図示した図面に基いて更に詳細に説明すると次のとおりである。
【００１９】
図中、符号１で指示するものはホッパーであり、このホッパー１には、底部に複数（本実施形態においては５つ）の土砂投入口１１ａが開設されたデッキ１１が敷設されている（図１参照）。
【００２０】
符号２で指示するものはガイド筒であり、このガイド筒２は下端に放出口２１を有し、ホッパー１の土砂投入口１１ａに垂設されている（図２参照）。
【００２１】
符号３で指示するものはシャッタープレートであり、このシャッタープレート３は、各々ガイド筒２・２…に配設される板体であって、前記ガイド筒２内の容積が所定量をなす位置で横断方向に進退動作が可能である。
【００２２】
符号４で指示するものはコネクティングバーであり、このコネクティングバー４はシャッタープレート３を連結する棒体である。
【００２３】
符号５で指示するものは流体圧シリンダーであり、この流体圧シリンダー５は、前記コネクティングバー４を進退縮運動に応じて駆動する。
【００２４】
しかして、本発明装置の構成を説明する。まず、ホッパー１の底部に複数の土砂投入口１１ａを開設したデッキ１１を敷設して、前記土砂投入口１１ａの各々には土砂Ｓの落下方向を規制するガイド筒２を垂設する。
【００２５】
次に、これらガイド筒２には、当該ガイド筒内の容積が所定量をなす位置に横断方向へ進退動作自在なシャッタープレート３を各々配設する。
【００２６】
そして、コネクティングバー４を介して流体圧シリンダー５の進退縮運動に応じて各ガイド筒２を開閉するようにし、ガイド筒２が開放したとき当該各筒内に詰まった土砂Ｓを各ガイド筒２の放出口２１に対設したサンドバッグＢに定量ずつ充填できるように構成している。
【実施例】
【００２７】
本発明における装置の具体的な使用手順を以下に説明する。まず、ガイド筒２の放出口２１の下方にサンドバッグＢを配置する。
【００２８】
この際に、サンドバッグＢの口端を掛止して吊支可能な引掛部２２を設けることができる。この引掛部２２は、図３に示すように、ガイド筒２の下端周縁に引掛部材を点設した形態（ａ）でも良いし、ホッパー１の底部からゴム紐等で引掛部材をぶら下げた形態（ｂ）でも良い。そうすれば、この引掛部２２にサンドバッグＢの口を引っ掛けておくことができるので、放出口２１から落下してくる土砂Ｓに対してサンドバッグＢの口をわざわざ手で広げて待ち構える必要がなくなる。
【００２９】
次いで、シャッタープレート3によってガイド筒2内を仕切った状態で、ショベルカーのバケットを使ってホッパー1内の土砂投入口１１ａに土砂Ｓを投入した後、バケットで土砂投入口１１ａから溢れた過剰分の土砂Ｓを均して除去する。
【００３０】
この際、ホッパー１の周壁１２の一部を外して、開口部１２ｂを形成することによってバケットを操作して、投入時にバケットが干渉しないようにすることができ、また、過剰土砂Ｓをホッパー１の開口部１２ｂから落とすこともできる。
【００３１】
また、ホッパー１の周壁１２を外向きに傾斜させて立設した傾斜部１２ａを形成することによって、バケットで土砂Ｓを投入するときに、バケットから土砂Ｓが多少散らばって落下してもホッパー内に収まるように受口を広くすることもできる（図４参照）。
【００３２】
そして、ガイド筒２に挿入されている複数のシャッタープレート３を装着しているコネクティングバー４を手前に引いて、ガイド筒２を開放し、ガイド筒２内の土砂ＳをサンドバッグＢに充填する。
【００３３】
この際、図５の（ａ）に示すように、ガイド筒２におけるガイド筒内の容積が所定量をなす位置にスリット２３を設けて、このスリット２３にシャッタープレート３を差し込むことによって、（ｂ）に示すようにガイド筒２内を仕切ることができる。このようにスリット２３を利用した仕切り機構にすれば、設定しているガイド筒２内の容積量を変更する場合であっても、ガイド筒２の胴部の適宜位置に新たにスリット２３を設けるだけで対応できる。
【００３４】
また、流体圧シリンダー５のピストンロッド５１の先端を、前記コネクティングバー４に直交状態に連結すると共に、シリンダチューブ５２をホッパー１に懸装して水平支持することができ、簡単な構造でコネクティングバー４を平行に進退運動させることができる（図６参照）。
【００３５】
更にまた、シャッタープレート３が個々でも使用できるように、このシャッタープレート３１とコネクティングバー４を脱着可能にすることもでき、流体圧シリンダー５が故障しても本装置を使用できるようにしている。この際、各シャッタープレート３に付設した把手３１により操作することができる。
【００３６】
加えて、コネクティングバー４を滑動可能に支持するスライド支持部材４１をホッパー底面に吊り下げて懸装することもでき、この支持部材４１を使用することによって、コネクティングバー４が上下からの外圧で曲がったり、歪んだりしないようにすることができる（図７参照）。
【００３７】
ちなみに、流体圧シリンダー５に油圧シリンダーを用いて、油圧ポンプの動力によってコネクティングバー４の進退縮運動を自動化することもでき、遠隔操作可能にすることができるので、袋詰め装置の近くで作業しなくてもよくなり、作業の安全性を確保することができる。
【００３８】
本発明は、概ね上記のように構成されるが、本発明は、図示の実施形態に限定されるものでは決してなく、「特許請求の範囲」の記載内において種々の変更が可能であって、例えば、ガイド筒２は円筒状でなくとも良く、断面が多角形や半円形等の筒体であっても良い。また、小さなサンドバッグＢの口にも土砂Ｓが入り易いように、ガイド筒２を放出口を逓減的に窄めた漏斗状にしても良い。
【００３９】
なお、サンドバッグＢに充填されるものは土砂Ｓに限らず、肥料、炭、穀粒や飼料等の粉粒体であれば良く、これらを生産する工場で本件発明装置を使用すれば、前記の収容物を効率的に袋詰めすることができる。
【００４０】
更にまた、列設されたガイド筒２の下部に並行してコンベアやスロープ等の移送手段を設置して、いちいち土砂Ｓを充填したサンドバッグＢを持ち上げて移動しなくてもいいようにしても良く、これらは何れも本発明の技術的範囲に属する。
【図面の簡単な説明】
【００４１】
【図１】本発明における実施形態の装置の全体上面図である。
【図２】本発明における実施形態の装置の全体正面図である。
【図３】本発明における実施形態の装置のサンドバッグの設置状態を表わす部分断面図である。
【図４】本発明における実施形態の装置の全体側面図である。
【図５】本発明における実施形態の装置の仕切り機構を表わす説明斜視図である。
【図６】本発明における実施形態の装置の仕切り機構を表わす部分断面図である。
【図７】本発明における実施形態の装置のスライド支持部材を表わす部分斜視図である。
【図８】従来の土砂袋入れ装置の使用手順を表わす工程説明図である。
【符号の説明】
【００４２】
１      ホッパー
１１    デッキ
１１ａ  土砂投入口
１２    周壁
１２ａ  斜面部
１２ｂ  開口部
２      ガイド筒
２１    放出口
２２    引掛部
２３    スリット
３      シャッタープレート
３１    把手
４      コネクティングバー
４１    スライド支持部材
４１ａ  吊下固定部
５      流体圧シリンダー
５１    ピストンロッド
５２    シリンダチューブ
Ｓ      土砂
Ｂ      サンドバッグ
Ｐ      仕切り板
【図１】
2006248536.tif 000003
【図２】
2006248536.tif 000004
【図３】
2006248536.tif 000005
【図４】
2006248536.tif 000006
【図５】
2006248536.tif 000007
【図６】
2006248536.tif 000008
【図７】
2006248536.tif 000009
【図８】
2006248536.tif 000010